(57)【要約】      （修正有）【課題】大型の形状であっても、ボリューム感があって迫力があり、きれいで容易に製作できる大型ペーパーフラワー及びその製造方法、ペーパーフラワーキットを提供する。【解決手段】第１の芯部が、切り込み線に沿って切り込みを入れてループを複数形成し、切り込みの方向に直交する方向に棒が巻かれ、第２の芯部１３ｃが、切り込みを入れてループを複数形成し、第１の芯部の周囲に巻き付けられ、複数のがくが、第２の芯部１３ｃを中心としてサイズが小さい花弁１１、サイズが大きい花弁１２の順に配置されて取り付けられた花の根元に、貼り付けられる大型のペーパーフラワーである。【選択図】図１
2019119982.tif 000002
【特許請求の範囲】
【請求項１】
紙を用いて製作される直径３０ｃｍ以上ある大型のペーパーフラワーであって、
裁断されたサイズが異なる複数の花弁と、
折り返した紙の折り返し部に切り込みが入れられてループが複数形成され、前記切り込みの方向に直交する方向に棒が巻かれる第１の芯部と、
折り返した紙の折り返し部に切り込みが入れられてループが複数形成され、前記第１の芯部の周囲に巻き付けられる第２の芯部と、
前記第２の芯部を中心としてサイズが小さい花弁、サイズが大きい花弁の順に配置されて取り付けられた花の根元に、貼り付けられる複数のがくとを有することを特徴とするペーパーフラワー。
【請求項２】
第１の芯部と第２の芯部では、紙の裏面に切り込みの補助線が設けられており、
前記第１の芯部のループが上側に出るよう前記第２の芯部を下側にずらして前記第１の芯部の周囲に巻き付けられることを特徴とする請求項１記載のペーパーフラワー。
【請求項３】
第１の芯部の切り込みの方向に直交する方向の紙の長さに対して、第２の芯部の切り込みの方向に直交する紙の長さが２倍以上あることを特徴とする請求項１又は２記載のペーパーフラワー。
【請求項４】
直径３０ｃｍ以上ある紙を用いた大型のペーパーフラワーの製造方法であって、
折り返した紙の折り返し部に切り込みを入れ、当該紙を裏返してループを複数形成し、前記切り込みの方向に直交する方向に棒を巻いて第１の芯部を形成し、
折り返した紙の折り返し部に切り込みを入れ、当該紙を裏返してループを複数形成し、前記第１の芯部の周囲に第２の芯部を巻き付け、
前記第２の芯部を中心にサイズが小さい花弁を配置して前記棒に取り付け、前記小さい花弁の下側にサイズが大きい花弁を配置して前記棒に取り付け、
前記大きい花弁の根元に、複数のがくを貼り付けることを特徴とするペーパーフラワーの製造方法。
【請求項５】
直径３０ｃｍ以上ある大型のペーパーフラワーを製造するキットであって、
裁断されたサイズが異なる複数の花弁と、
折り返された折り返し部に切り込みが入れられてループが複数形成され、前記切り込みの方向に直交する方向に棒が巻かれる第１の芯部となる第１の紙と、
折り返された折り返し部に切り込みが入れられてループが複数形成され、前記第１の芯部の周囲に巻き付けられる第２の芯部となる第２の紙と、
前記第２の芯部を中心としてサイズが小さい花弁、サイズが大きい花弁の順に配置されて取り付けられる花の根元に、貼り付けられる複数のがくとを有することを特徴とするペーパーフラワーキット。
【発明の詳細な説明】
【技術分野】
【０００１】
本発明は、紙を用いて製作される直径３０ｃｍ以上の大型のペーパーフラワーに係り、特に、ディスプレイ用の大きな形状でボリューム感を持たせてきれいに容易に製作できる大型ペーパーフラワー及びその製造方法、ペーパーフラワーキットに関する。
【背景技術】
【０００２】
［従来の技術］
従来からペーパーフラワーは、数多く製造されている。
また、最近、結婚式や販売促進のイベント等で使用される目的で、大型のペーパーフラワーも製造されるようになってきている。
【０００３】
［関連技術］
尚、関連する先行技術として、特開２０１６−１７６１７１号公報「造花、造花キット及び造花の製造方法」（特許文献１）、特許第２９８５９９５号公報「造花の製造方法」（特許文献２）、特許第５３７９３１９号公報（特許文献３）がある。
【０００４】
特許文献１には、芯部に発泡スチロール又はウレタンを用いて周りに花びらを形成する大型の造花が示されている。
特許文献２には、造花素材を着色してフッ素樹脂液を塗布し、更に硬化シリコン樹脂を塗布して硬化させる造花の製造方法が示されている。
特許文献３には、花弁が紙材料と伸縮する布材料の異なる材料の組み合わせで構成され、葉も２種類以上の素材の組み合わせで構成される造花が示されている。
【先行技術文献】
【特許文献】
【０００５】
【特許文献１】特開２０１６−１７６１７１号公報
【特許文献２】特許第２９８５９９５号公報
【特許文献３】特許第５３７９３１９号公報
【発明の概要】
【発明が解決しようとする課題】
【０００６】
しかしながら、従来の大型のペーパーフラワーは、小型のペーパーフラワーとほぼ同様の方法で製作されるため、形状は大きいものの、全体として薄くて軽く、ボリューム感が不足し、大型のフラワーとしてインパクトや迫力がないという問題点があった。
【０００７】
また、大型の形状であるため、花弁等の切り抜き作業が煩雑で、短時間で簡単に製作できないものであった。
更に、大型の造花であるため、精度よく製造することが困難であり、製作者の上手下手が目立ってしまい、誰でもきれいな仕上がりにすることができないものであった。
【０００８】
本発明は上記実情に鑑みて為されたもので、大型の形状であって、ボリューム感があって迫力があり、製作が容易で仕上がりが美しい大型ペーパーフラワー及びその製造方法、ペーパーフラワーキットを提供することを目的とする。
【課題を解決するための手段】
【０００９】
上記従来例の問題点を解決するための本発明は、紙を用いて製作される直径３０ｃｍ以上ある大型のペーパーフラワーであって、裁断されたサイズが異なる複数の花弁と、折り返した紙の折り返し部に切り込みが入れられてループが複数形成され、切り込みの方向に直交する方向に棒が巻かれる第１の芯部と、折り返した紙の折り返し部に切り込みが入れられてループが複数形成され、第１の芯部の周囲に巻き付けられる第２の芯部と、第２の芯部を中心としてサイズが小さい花弁、サイズが大きい花弁の順に配置されて取り付けられた花の根元に、貼り付けられる複数のがくとを有することを特徴とする。
【００１０】
本発明は、上記ペーパーフラワーにおいて、第１の芯部と第２の芯部では、紙の裏面に切り込みの補助線が設けられており、第１の芯部のループが上側に出るよう第２の芯部を下側にずらして第１の芯部の周囲に巻き付けられることを特徴とする。
【００１１】
本発明は、上記ペーパーフラワーにおいて、第１の芯部の切り込みの方向に直交する方向の紙の長さに対して、第２の芯部の切り込みの方向に直交する紙の長さが２倍以上あることを特徴とする。
【００１２】
本発明は、直径３０ｃｍ以上ある紙を用いた大型のペーパーフラワーの製造方法であって、折り返した紙の折り返し部に切り込みを入れ、当該紙を裏返してループを複数形成し、切り込みの方向に直交する方向に棒を巻いて第１の芯部を形成し、折り返した紙の折り返し部に切り込みを入れ、当該紙を裏返してループを複数形成し、第１の芯部の周囲に第２の芯部を巻き付け、第２の芯部を中心にサイズが小さい花弁を配置して棒に取り付け、小さい花弁の下側にサイズが大きい花弁を配置して棒に取り付け、大きい花弁の根元に、複数のがくを貼り付けることを特徴とする。
【００１３】
本発明は、直径３０ｃｍ以上ある大型のペーパーフラワーを製造するキットであって、裁断されたサイズが異なる複数の花弁と、折り返された折り返し部に切り込みが入れられてループが複数形成され、切り込みの方向に直交する方向に棒が巻かれる第１の芯部となる第１の紙と、折り返された折り返し部に切り込みが入れられてループが複数形成され、第１の芯部の周囲に巻き付けられる第２の芯部となる第２の紙と、第２の芯部を中心としてサイズが小さい花弁、サイズが大きい花弁の順に配置されて取り付けられる花の根元に、貼り付けられる複数のがくとを有することを特徴とする。
【発明の効果】
【００１４】
本発明によれば、切り込みが入れられてループが複数形成され、切り込みの方向に直交する方向に棒が巻かれる第１の芯部と、切り込みが入れられてループが複数形成され、第１の芯部の周囲に巻き付けられる第２の芯部と、第２の芯部を中心としてサイズが小さい花弁、サイズが大きい花弁の順に配置されて取り付けられた花の根元に、貼り付けられる複数のがくとを有する大型のペーパーフラワーとしているので、大型の形状であっても、ボリューム感があって迫力があり、仕上がりが美しく容易に製作できる効果がある。
【図面の簡単な説明】
【００１５】
【図１】第１のペーパーフラワーの概略図である。
【図２】花弁素材の概略図である。
【図３】芯素材の概略図である。
【図４】花弁の作り方を示す図である。
【図５】芯部の作り方（１）を示す図である。
【図６】芯部の作り方（２）を示す図である。
【図７】花弁の取り付け方を示す図である。
【図８】がくの取り付け方を示す図である。
【図９】第２のペーパーフラワーの概略図である。
【図１０】花弁素材の概略図である。
【図１１】花弁の作り方を示す図である。
【図１２】芯部の作り方を示す図である。
【図１３】芯部の概略図である。
【図１４】花弁の貼り方を示す図である。
【図１５】がくの貼り方を示す図である。
【図１６】第３のペーパーフラワーの概略図である。
【図１７】芯部の作り方を示す図である。
【図１８】花びらの作り方を示す図である。
【図１９】花びらの中央部分の作り方を示す図である。
【図２０】がくの取り付け方を示す図である。
【図２１】第４のペーパーフラワーの概略図である。
【図２２】花弁の作り方（１）を示す図である。
【図２３】花弁の作り方（２）を示す図である。
【図２４】芯部の作り方を示す図である。
【図２５】がくの作り方を示す図である。
【図２６】第５のペーパーフラワーの概略図である。
【図２７】花弁の作り方（１）を示す図である。
【図２８】花弁の作り方（２）を示す図である。
【図２９】くきの取り付けとデコレーションの仕方を示す図である。
【図３０】第５のペーパーフラワーのリボン付きタイプを示す図である。
【図３１】芯素材の円柱型発泡スチロールを示す概略図である。
【図３２】芯素材となる加工前の厚紙を示す図である。
【図３３】円錐形状に加工した厚紙の概略図である。
【図３４】グルーガンで接着する様子を示す概略図である。
【図３５】接合部分をテープで固定した概略図である。
【図３６】円柱型の発泡スチロールに芯棒を差し込み、グルーガンで固定する様子を示す概略図である。
【発明を実施するための形態】
【００１６】
本発明の実施の形態について図面を参照しながら説明する。
［実施の形態の概要］
本発明の実施の形態に係るペーパーフラワー（本ペーパーフラワー）は、第１の芯部が、切り込みを入れてループを複数形成し、切り込みの方向に直交する方向に棒が巻かれ、第２の芯部が、切り込みを入れてループを複数形成し、第１の芯部の周囲に巻き付けられ、複数のがくが、第２の芯部を中心としてサイズが小さい花弁、サイズが大きい花弁の順に配置されて取り付けられた花の根元に、貼り付けられる大型のペーパーフラワーとしているので、大型の形状であっても、ボリューム感があって迫力があり、容易に製作でき、仕上がりが美しくなるものである。
【００１７】
［第１のペーパーフラワー：図１］
本発明の実施の形態に係る第１のペーパーフラワー（第１のペーパーフラワー）について図１を参照しながら説明する。図１は、第１のペーパーフラワーの概略図である。
第１のペーパーフラワーは、直径３０ｃｍ以上の大型の造花であって、図１に示すように、ボリューム感を持たせた芯部１３ｃと、芯部１３ｃの周囲に取り付けられるサイズが小さい複数の花弁１１と、花弁１１の外側に形成されるサイズが大きい複数の花弁１２とを基本的に有している。
【００１８】
［第１のペーパーフラワーの各部：図２，３］
第１のペーパーフラワーの各部について図２〜３を参照しながら具体的に説明する。図２は、花弁素材の概略図であり、図３は、芯素材の概略図である。
図２に示すように、花弁素材として、金色（砂金色）、白色（雪色）、朱色又は黒色の４色あって、幅１６ｃｍ、長さ２６ｃｍの花弁１１が６枚カット（裁断）されており、それよりサイズが大きい、同じ色の幅１９ｃｍ、長さ３３ｃｍの花弁１２が１２枚カットされ、準備されている。無論、大型のペーパーから花弁１１及び花弁１２を切り出してもよい。
【００１９】
図３に示すように、芯素材として、茶色又は黒色の幅２４ｃｍ、長さ３５ｃｍの芯素材１３と、同じ色で幅２４ｃｍ、長さ８０ｃｍの芯素材１３が２種類、準備されている。
ここで、２種類の芯素材１３を準備するのは、芯部にボリューム感を持たせるためで、第１の芯素材の長さに対して、第２の芯素材は２倍以上の長さとなるようにする。これは、第１の芯素材を巻いたものを第２の芯素材で更に巻くためである。詳細は後述する。
【００２０】
更に、芯素材１３の裏面には、切り込みを入れ易くするための補助線としての切り込み線１３ａが設けられている。芯素材１３を、図３の長辺同士を合わせるように中表に半分に折って、折り返した所（折り返し部）から切り込み線１３ａに従ってハサミで切り込みを入れると、花芯部分が容易に形成できるものである。
切り込みは、長辺から７ｃｍ程度残して形成するようにする。切り込み線１３ａの間隔は、１ｃｍ程度である。
図３では、切り込み線１３ａが若干長いので、左右の余白をそれぞれ７ｃｍ、中央の切り込み線１３ａを１０ｃｍとすることが望ましい。
【００２１】
切り込み線１３ａは、補助線として印刷されていてもよいが、ミシン目のようにハサミがなくても簡単に切り込みできるものであってもよい。更に、予め切り込まれて（カットされて）いてもよい。
また、切り込み線１３ａは、切り込みの目安であるため、自信のある製作者は、線と線の間に切り込みを入れたり、間引いたりして芯の形状に合わせて工夫して調整することも可能である。
【００２２】
［第１のペーパーフラワーの製造方法：図４〜８］
次に、第１のペーパーフラワーの製造方法について図４〜８を参照しながら説明する。図４は、花弁の作り方を示す図であり、図５は、芯部の作り方（１）を示す図であり、図６は、芯部の作り方（２）を示す図であり、図７は、花弁の取り付け方を示す図であり、図８は、がくの取り付け方を示す図である。
【００２３】
［花弁の作り方：図４］
図４（ａ）に示すように、花弁１１の下部を中心部分がＭ字となるようギャザー（ひだ）を寄せ、ワイヤー１４を挟む。挟んだ後に、図４（ｂ）に示すように、フローラルテープ１５で２〜３周巻き、図４（ｃ）に示すように、花弁上に突出しているワイヤー１４を花弁１１とは反対側（手前側）に折り曲げ、図４（ｄ）に示すように、花弁１１の根元とワイヤー１４とを一緒にフローラルテープ１５で巻いて花弁を作成する。花弁１２も同様に作成する。
【００２４】
［芯部の作り方：図５，６］
長さ３５ｃｍの芯素材（第１の芯素材）１３について、図５（ａ）に示すように、長辺が重なるように中表に半分に折る。これにより、裏面の切り込み線１３ａが外側面に現れる。そして、図５（ｂ）に示すように、折り返した側から切り込み線１３ａに沿ってハサミで切り込みを入れ、端部は７ｃｍ程度残すようにする。切り込みは１ｃｍ幅としている。
そして、切り込みを入れたら、図５（ｃ）に示すように、表面が外側になるようひっくり返す。これにより、切り込んだ部分がループ状に膨らんで第１弾のボリュームが得られる。
【００２５】
次に、ワイヤーの入った棒１６を芯素材１３の切り込みが形成されていない部分に、短辺に沿ってグルーガンで貼り、図６（ａ）に示すように、棒１６に芯素材１３を巻きつけてグルーガンで固定して、図６（ｂ）に示すように、内側の芯部（第１の芯部）１３ｂを作成する。
長さ８０ｃｍの芯素材（第２の芯素材）１３についても、上記と同様に切り込みを入れて、折り目部分でひっくり返し、第２弾のボリュームを得る。
【００２６】
続いて、内側の芯部１３ｂの外側に長さ８０ｃｍの芯素材１３を巻き付けて、図６（ｃ）に示すように、芯部１３ｃを作成する。つまり、内側の芯部１３ｂの外側に第２の芯素材が取り付けられて芯部１３ｃが形成されることになる。
この場合、更なるボリューム感を持たせるために、内側の芯部１３ｂに対して第２の芯素材を下側にずらして巻くようにすると、内側の芯部１３ｂが上部に頭を出して、その下側の周囲に後から巻いた第２の芯素材が形成されて、芯部１３ｃの総合的なボリューム感が増すものである。
【００２７】
一般的な小型のペーパーフラワーでは、１枚の芯素材を下側に徐々にずらしながら巻き付けることで、ボリュームを出すことも可能であるが、大型のペーパーフラワーでは、芯素材の長さも長いため、調整が容易ではない。そこで、第１弾のボリュームがある第１の芯部と第２弾のボリュームがある第２の芯部をずらして結合して製作するのが、きれいで容易に総体的なボリュームを出すことができるものである。
【００２８】
［花弁の取り付け方：図７］
そして、芯部１３ｃを中心にサイズの小さい花弁１１とサイズの大きい花弁１２を取り付ける。
具体的には、図７に示すように、芯部１３ｃの筒状部分に、サイズの小さい６枚の花弁１１のワイヤー１４を均等に配置してフラワーテープ１６ａで取り付け、サイズの大きい１２枚の花弁１２のワイヤー１４を芯部１３ｃの筒状部分に配置してフラワーテープ１６ａで取り付け、更にサイズの大きい６枚の花弁１２のワイヤー１４を芯部１３ｃの筒状部分に配置してフラワーテープ１６ａで取り付ける。フラワーテープ１６ａを巻いた後は、グルーガンで固定する。
【００２９】
従って、中心の芯部１３ｃに近い位置に６枚のサイズの小さい花弁１１が１層目として配置され、その外側にサイズの大きい６枚の花弁１２が２層目として配置され、更に２層目の花弁１２の下側にサイズが大きい６枚の花弁１２が３層目として配置される。
１〜３層目の花弁は、完全に重ならないように配置すると、大型フラワーとしてのボリューム感を出すことができる。
【００３０】
［がくの取り付け方：図８］
図８（ａ）に示すように、裁断された黒色等の紙のがく１７を複数、花の根元にグルーガンで巻き付ける。
次に、図８（ｂ）に示すように、ドーナツ型に形成され、切り込みを入れた押さえ部１８を花の根元に取り付けて、図８（ｃ）に示すように、がく１７と同じ色の紙の覆い部１９で押さえ部１８を覆うように貼り付ける。尚、図８（ｄ）に示すように、飾りのリボン等を取り付けてもよい。
このようにして、第１のペーパーフラワーが製造されるものである。
【００３１】
尚、大型のペーパーフラワーは、花弁１１，１２、芯素材１３、がく１７を切り出す作業が小型のペーパーフラワーと比べて大変になるので、それらの素材を予め裁断し、適切な長さのワイヤー１４を必要な本数含めて、製造キット（ペーパーフラワーキット）で販売するものである。これにより、製造を容易にして、製造効率を格段に向上させることができるものである。
【００３２】
［第２のペーパーフラワー：図９］
次に、本発明の実施の形態に係る第２のペーパーフラワー（第２のペーパーフラワー）について図９を参照しながら説明する。図９は、第２のペーパーフラワーの概略図である。
第２のペーパーフラワーは、直径３０ｃｍ以上の大型の造花であって、図９に示すように、芯部２５と、芯部２５の周囲に取り付けられる複数の花弁２１と、花弁２１の外側に形成される複数の花弁２２と、花弁２２の外側に形成される複数の花弁２３と、花弁２３の外側に形成される花弁２４とを基本的に有している。
【００３３】
［花弁素材：図１０］
花弁素材について図１０を参照しながら説明する。図１０は、花弁素材の概略図である。
第２のペーパーフラワーの花弁素材は、図１０に示すように、砂金色、雪色、朱色、黒色の４色で４種類あり、最もサイズが小さい花弁２１の素材が６枚、次にサイズが大きい花弁２２の素材が６枚、その次にサイズが大きい花弁２３の素材が６枚、最もサイズが大きい花弁２４の素材が６枚、準備されている。
予め裁断されたものをキットに含めるようにするが、型紙を配布して製作者がカットするようにしてもよい。
尚、花弁２２〜２４の素材は、図１０の下から縦方向１／３の程度に切り込み２２ａが形成され、花弁２１の素材は、下から１／３程度の切り込み２１ａが形成されている。
【００３４】
［第２のペーパーフラワーの製造方法：図１１〜１５］
次に、第２のペーパーフラワーの製造方法について図１１〜１５を参照しながら説明する。図１１は、花弁の作り方を示す図であり、図１２は、芯部の作り方を示す図であり、図１３は、芯部の概略図であり、図１４は、花弁の貼り方を示す図であり、図１５は、がくの貼り方を示す図である。
【００３５】
［花弁の作り方：図１１］
図１１（ａ）に示すように、花弁素材２４について、切り込み２２ａが入っていない側の先端部分を、図１１（ｂ）に示すように、ペンなどで丸め、クセをつける。そして、図１１（ｃ）に示すように、切り込み２２ａを重ね合わせるようにボンドで接着してカップ状にする。接着により中心側の窪んだ部分に対して、図１１（ｄ）に示すように、花弁のクセをつけた先端は反対側を向くようにする。これにより、花弁２４を側面から見たときＳ字状となり、ボリュームが得られる。
【００３６】
［芯部の作り方：図１２］
芯部２５の作り方は、第１のペーパーフラワーでの芯部１３の製造方法と同様である。
ただ、第２のペーパーフラワーでは、芯素材の幅約１２ｃｍで長さ約８０ｃｍのサイズで、切り込んで残す部分は５ｃｍ程度となる。芯素材の色は、花弁が砂金色、雪色又は黒色の場合に金色であり、花弁が朱色の場合に黒色である。
図１２（ａ）に示すように、芯部２５の芯素材において、切り込みの補助線が形成された裏面を山折りにして補助線に沿って１ｃｍ幅で切り込みを入れ、切り込みが終了したら、図１２（ｂ）に示すように、山折りをひっくり返して、ループの膨らみを潰さないように、図１２（ｃ）に示すように、切り込みの入っていない部分を軸にして巻く。図１２（ｄ）に示すように、巻く途中で型崩れしないようにグルーガンで所々固定する。
【００３７】
［芯部の概略：図１３］
そのように形成された芯部２５は、図１３に示すように、ループ状の部分を周辺部分は横方向に広げると、芯部２５の上半分が半球状となり、フラワーの芯部として完成する。
【００３８】
［花弁の貼り方：図１４］
次に、２６ｃｍの紙皿２６を用いて花弁を貼って行く。
具体的には、図１４（ａ）に示すように、紙皿２６の内側の底に、サイズが最も大きい花弁２４の根元側を、円を描くようにグルーガンで重ねて貼り合わせる。後ほど取り付けられる芯部２５から最も遠い外側の第１層には、花弁２４を６枚貼り付ける。
そして、図１４（ｂ）に示すように、サイズが次に大きい花弁２３をグルーガンで６枚重ねて貼り合わせて、第２層を形成する。
【００３９】
更に、図１４（ｃ）に示すように、その上に第３層として、花弁２３をグルーガンで６枚重ね貼り合わせる。更に、第４層として、サイズが２番目に小さい花弁２２をグルーガンで６枚重ね貼り合わせ、図１４（ｄ）に示すように、中心に最も近い位置に第５層としてサイズが最も小さい花弁２１をグルーガンで６枚重ね貼り合わせ、芯部２５の底部にグルーガンで接着剤を塗布して紙皿２６の中心に接着する。
【００４０】
［がくの貼り方：図１５］
図１５（ａ）に示すように、フラワーをひっくり返し、図１５（ｂ）に示すように、紙皿２６の裏面に６枚の緑色のがく２７を貼っていく。最後に、図１５（ｃ）に示すように、緑色の円形のがく２８を、がく２７の上から貼って、がく２７が剥がれるのを防いでいる。
このようにして、第２のペーパーフラワーが製造されるものである。
【００４１】
第２のペーパーフラワーの製造キットには、予め裁断された複数の花弁２１〜２４と、芯部２５の芯素材と、葉の形状のがく２７及び円形のがく２８を含むようにし、組み立て製造を非常に容易にしている。
【００４２】
［第３のペーパーフラワー：図１６］
次に、本発明の実施の形態に係る第３のペーパーフラワー（第３のペーパーフラワー）について図１６を参照しながら説明する。図１６は、第３のペーパーフラワーの概略図である。
第３のペーパーフラワーは、直径３０ｃｍ以上の大型の造花であって、図１６に示すように、３種類の複数の花びら３１，３２，３３と、茎となるスティック３７と、葉３４とを基本的に有している。
【００４３】
［第３のペーパーフラワーの製造方法：図１７〜２０］
第３のペーパーフラワーの製造方法について図１７〜２０を参照しながら説明する。図１７は、芯部の作り方を示す図であり、図１８は、花びらの作り方を示す図であり、図１９は、花びらの中央部分の作り方を示す図であり、図２０は、がくの貼り方を示す図である。
尚、第３のペーパーフラワーを製造するための各部は、製造キットに含まれ、販売されるようになっている。
【００４４】
［芯部の作り方：図１７］
図１７に示すように、卵型発泡スチロール３６の下中央に、きり等で穴をあけ、緑色の手持ち用スティック３７を差し込んで、根元をグルーガンで固定する。
【００４５】
［花びらの作り方：図１８］
図１８（ａ）に示すように、花びらは、小型サイズの花びら３１を１０枚、中型サイズの花びら３２を４枚、大型サイズの花びら３３ａを５枚、更に大きい大型サイズの花びら３３ｂを５枚用いる。大型サイズの花びら３３ａ，３３ｂをまとめて「大型サイズの花びら３３」と総称することがある。花びらの色は、朱色、雪色又は砂金色の３種類である。
各花びらは、下から中央に１／３程度切り込みが入っている。
図１８（ｂ）（ｃ）に示すように、花びら３１において、切り込んだ部分を１ｃｍ程重ねてボンドで貼り合わせてカップ状にする。
【００４６】
［花びらの中央部分の作り方：図１９］
花びらの中央部分は、図１９（ａ）（ｂ）に示すように、カップ状にした小型の花びら３１を２枚用いて、小型の花びら３１の下半分にボンドを付けて、卵型発泡スチロール３６の上側からその真ん中あたりの高さに貼り付ける。花びら３１のボンドが付いていない上半分をまるめて円錐形になるように花びら３１にボンドを付けて形成する。
そして、図１９（ｃ）に示すように、小型の花びら３１を上記と同様の方法でもう一枚、まるめて円錐形になるように貼り付ける。その際に、既に貼ってある花びら３１と向き合うように貼り付ける。
【００４７】
そして、カップ状にした小型の花びら３１を３枚用いて、卵型発泡スチロール３６を一周するよう貼り付ける。貼り付ける際に、１番目の花びら３１の下側の接着部分において、その接着部分の半分をボンドで接着し、接着していない半分開いた状態の内側に２番目の花びら３１を半分貼り付ける。その後、１番目の接着していない半分の花びら３１をボンドで接着する。このようにして、３枚の花びら３１を貼り付けていく。
【００４８】
同様に、図１９（ｄ）に示すように、小型の花びら３１を５枚で一周するよう貼り付ける。３枚で一周する場合に比べて、５枚で一周する場合の方が、花びら３１の間隔を狭くする必要がある、つまり、花びら３１の接着部分の面積を半分以下にし、接着していない部分の面積を半分以上とする。
そして、カップ状にした中型の花びら３２を４枚、小型の花びら３１と同様に、卵型発泡スチロール３６を一周するように貼り付ける。その際に、中型の花びら３２の高さが、高くなったり、低くなったりしないよう気を付ける。
【００４９】
次に、大型の花びら３３の下側部分にギャザーを寄せて、細長い突起部を形成する。突起部が形成された寄せた部分を２４番ワイヤーで巻く。
ワイヤーが巻かれた５枚の花びら３３ａを、卵型発泡スチロール３６を一周するようスティック３７にフローラルテープ３８で巻きつける。更に、別の５枚の大型の花びら３３ｂを下側からもう一周するようフローラルテープ３８で巻きつける。その際に、１周目の花びら３３ａと２周目の花びら３３ｂは、完全に重ならないようずらして配置するよう気を付ける。
【００５０】
［がくの取り付け方：図２０］
スティック３７に大型花びら３３がワイヤーでフローラルテープ３８により固定されている状態は、図２０（ａ）に示す通りである。
お椀型の紙皿３９の中央にきりで穴をあける。穴は、スティック３７がギリギリ通る程度の大きさとする。
図２０（ｂ）に示すように、お椀型の紙皿３９の凹部中央の穴にスティック３７を通して、紙皿３９を花びら３３がしっかり固定するところまで持ち上げて、紙皿３９をグルーガンで固定する。紙皿３９の固定によって大型フラワーをしっかり保持することができるものである。
図２０（ｃ）に示すように、紙皿３９を覆うように、緑のがく３５を部分的に重なり合うよう貼り付ける。
【００５１】
緑の葉３４の中央部分にワイヤーをフローラルテープで貼り付け、ワイヤーで巻いて、ワイヤー付きの葉３４を製作する。葉３４のワイヤーをスティック３７にフローラルテープで巻きつける。
植木鉢に粘土を敷き詰め、乾く前にスティック３７を刺し、緑のガーデニング装飾を敷き詰める。これにより、第３のペーパーフラワーが完成する。
第３のペーパーフラワーも、製造に必要な花びら３１〜３３、葉３４、スティック３７、紙皿３９等が製造キットに含めて販売されるようになっている。
【００５２】
［第４のペーパーフラワー：図２１］
次に、本発明の実施の形態に係る第４のペーパーフラワー（第４のペーパーフラワー）について図２１を参照しながら説明する。図２１は、第４のペーパーフラワーの概略図である。
第４のペーパーフラワーは、直径３０ｃｍ以上の造花で、図２１に示すように、芯部４３と、複数の花弁４１とを基本的に有している。
【００５３】
［第４のペーパーフラワーの製造方法：図２２〜２５］
第４のペーパーフラワーの製造方法について図２２〜２５を参照しながら説明する。図２２は、花弁の作り方（１）を示す図であり、図２３は、花弁の作り方（２）を示す図であり、図２４は、芯部の作り方を示す図であり、図２５は、がくの作り方を示す図である。
尚、第４のペーパーフラワーを製造するための各部は、製造キットに含まれ、販売されるようになっている。
【００５４】
［花弁の作り方（１）：図２２］
第４のペーパーフラワーにおいて、花弁素材は、オレンジ、ホワイト、アクア、ピーチ、レッドの５色の薄紙が用意されており、その薄紙８枚を短辺同士が重なるように折り、その折り目に沿って切る。切った半分の８枚を２組重ねて、更に短辺が重なるように折り目を付ける。
その一方の短辺に、図２２（ａ）（ｂ）に示すように、花弁の線が描かれており、その線に沿って１６枚をまとめて切る。
折っていた部分は、後ほどジャバラを作る際に、広がるのに役立つものである。
【００５５】
図２２（ｃ）〜（ｅ）に示すように、花弁の線に沿って切った辺とは反対側の短辺から１０ｃｍ程度の所に印を付け、３ｃｍ幅のジャバラに折っていく。この１０ｃｍの長さのジャバラ部分は、小花４１ａを構成するものとなる。
そして、折っていく過程で、中央の折り目部分から広がるようになる。ジャバラ４１ａが折り終えたら、先ほど印を付けた所をワイヤー４２で留める。
【００５６】
［花弁の作り方（２）：図２３］
図２３（ａ）〜（ｅ）に示すように、ワイヤー４２で留めた短い方の端部を山形状に切る。ワイヤー４２で留めた長い方の端部は、花弁の線によって切り取られているので、ひらひらしたボリュームが得られている。山形状に端部を切り終えたら１枚ずつ開いて小花４１ａを形成する。
この花弁を５つ製作する。
【００５７】
［芯部の作り方：図２４］
芯部４３となるのは、花弁の色がオレンジ、ピーチ又はレッドの場合に茶色、花弁の色がホワイトの場合に灰色、花弁の色がアクアの場合にホワイトの２０ｃｍ幅の薄紙であり、この薄紙を３ｃｍの幅でジャバラに折り、中央をワイヤー４４で固定する。ワイヤー４４は、後ほど紙皿４６に取り付けるために長めに端部を残しておく。そして、ジャバラにした短辺の両端をギザギザに切る。
切り終わったら、紙を１枚ずつ開いて球形の芯部４３を形成する。
【００５８】
［がくの作り方：図２５］
図２５（ａ）に示すように、直径３０ｃｍ紙皿４６より直径が１０ｃｍ程大きい緑の円状の紙４５を用意し、円の周囲に中心に向けて切り込みを入れる。この紙４５ががくの底面となるものである。
図２５（ｂ）〜（ｄ）に示すように、紙４５を紙皿４６の下に敷き、紙皿４６の周囲に紙４５の切り込みを折り込むようにグルーガンで固めていく。固め終わったら、紙皿４６の真ん中とその周り５箇所にきりで穴をあけておく。紙皿４６に予め穴の位置の印を付けておくと便利である。
【００５９】
図２５（ｅ）（ｆ）に示すように、球状の芯部４３のワイヤーを紙皿４６の中央の穴に差し込んで開いて固定する。
そして、５つ製作した花弁のワイヤー４２を紙皿４６の中心以外の穴に差し込んで開いて固定する。
これにより、図２１に示した第４のペーパーフラワーが完成する。
第４のペーパーフラワーも、製造に必要な花弁素材、芯素材、円状の紙４５、紙皿４６等が製造キットに含めて販売されるようになっている。
【００６０】
［第５のペーパーフラワー：図２６］
次に、本発明の実施の形態に係る第５のペーパーフラワー（第５のペーパーフラワー）について図２６を参照しながら説明する。図２６は、第５のペーパーフラワーの概略図である。
第５のペーパーフラワーは、３０ｃｍ以上の大型の造花であって、図２６に示すように、球体のボンボンをデコレーションしたものとなっている。
尚、第５のペーパーフラワーを製造するための各部は、製造キットに含まれ、販売されるようになっている。
【００６１】
［第５のペーパーフラワーの製造方法：図２７〜２９］
第５のペーパーフラワーの製造方法について図２７〜２９を参照しながら説明する。図２７は、花弁の作り方（１）を示す図であり、図２８は、花弁の作り方（２）を示す図であり、図２９は、くきの取り付けとデコレーションの仕方を示す図である。
【００６２】
［花弁の作り（１）：図２７］
花弁５１となるのは、オレンジ、ホワイト、アクア、ピーチ又はレッドの５色の薄紙が用意されており、その薄紙を１２枚、短辺同士を重ねるように折り曲げ、折り目に沿って切る。
図２７（ａ）（ｂ）に示すように、切った一方の花弁素材を４ｃｍ幅のジャバラに折っていき、折り終わったら、切った他方の花弁素材も同様にジャバラに折る。
図２７（ｃ）（ｄ）に示すように、ジャバラに折った２つをまとめて、真ん中をワイヤー５２で留める。
【００６３】
［花弁の作り方（２）：図２８］
図２８（ａ）（ｂ）に示すように、ジャバラになっている花弁５１の紙の端部を丸くカットする。
次に、図２８（ｃ）（ｄ）に示すように、花弁５１の花弁素材を一枚ずつ開いて、球体のボンボンを作成する。
【００６４】
［くきの取り付けとデコレーションの仕方：図２９］
くき５３となる棒の先に、粘着テープ付きのハリパネ５４を差し込む。粘着テープは、花弁側に向くようにする。
そして、図２９（ａ）（ｂ）に示すように、ハリパネ５４付きくき５３の棒を丸くなった花弁５１のボンボンの中に差し込み、ハリパネ５４の粘着テープで花弁５１に留める。
【００６５】
図２９（ｃ）（ｄ）に示すように、目元５５や口５６、その他ヒゲ、サングラス等のパーツを型から切り取り、テープで花弁５１のボンボンに貼る。パーツは、予め切り出されて準備されていてもよい。
植木鉢に粘土を敷き詰め、乾く前にくき５３の棒を刺し、緑のガーデニング装飾を粘土の上に敷き詰める。
これにより、第５のペーパーフラワーが製造される。
【００６６】
［第５のペーパーフラワーのリボン付きタイプ：図３０］
第５のペーパーフラワーの応用例について図３０を参照しながら説明する。図３０は、第５のペーパーフラワーのリボン付きタイプを示す図である。
図３０の例では、ハリパネ５４付きの棒を用いず、リボン５７を用いて吊り下げるタイプである。
【００６７】
ボンボンの内部では、２つの花弁素材をまとめたワイヤー５２がある。そのワイヤー５２の端部でループを作り、つなぎの部分をテープで留める。そして、そのループにリボン５７を通してボンボンの内部で結び、ボンボンから引き出されたリボン５７に結び目をつけて完成させる。
【００６８】
［第３のペーパーフラワーの別の製造方法：図３１〜３６］
次に、第３のペーパーフラワーの別の製造方法について図３１〜３６を参照しながら説明する。図３１は、芯素材の円柱型発泡スチロールを示す概略図であり、図３２は、芯素材となる加工前の厚紙を示す図であり、図３３は、円錐形状に加工した厚紙の概略図であり、図３４は、グルーガンで接着する様子を示す概略図であり、図３５は、接合部分をテープで固定した概略図であり、図３６は、円柱型の発泡スチロールに芯棒を差し込み、グルーガンで固定する様子を示す概略図である。
【００６９】
図３１に示した高さ約５０ｍｍ、直径１００ｍｍ円柱型の発泡スチロール６１と、図３２に示した加工前の半円状の厚紙６２を用いて芯素材を作成する。厚紙６２は、花弁が朱色、雪色又は砂金色の場合に、それぞれ同じ色を用い、直径が約２４０ｍｍで半径が約１２５ｍｍである。
【００７０】
図３３に示すように、図３２の厚紙６２について点Ａを頂点として辺ＡＢと辺ＡＣが接着するよう丸めて円錐形状を形成して加工する。辺ＡＢと辺ＡＣの接着は、両辺を突き合わせて円錐形状の内側から接着テープ等で固定する。
【００７１】
次に、図３４に示すように、円柱型の発泡スチロール６１と円錐形状の厚紙６２とをグルーガン６３の接着剤６３ａにより接着する。
具体的には、円錐形状の厚紙６２の底面の外周部分が円柱型発泡スチロール６１に接触する部分にグルーガン６３の接着剤６３ａを塗布し、円錐形状の厚紙６２を円柱型発泡スチロール６１上に搭載して接着する。
【００７２】
そして、図３５に示すように、円柱型発泡スチロール６１と円錐形状の厚紙６２の接合部分に接着テープ６４を貼り付けて、両者を固定する。
更に、図３６に示すように、円柱型発泡スチロール６１の底面中央に芯棒６５を差し込み、その差し込み部分をグルーガン６３で固定する。
【００７３】
これにより、第３のペーパーフラワーにおいて、図１７の卵型の芯部に図１９（ｂ）に示す上半分が円錐形となる花びら３１が取り付けられた形状を製造することができる。
図３１〜図３６による芯部分の製造であれば、円柱型発泡スチロール６１と半円状の厚紙６２を材料とするので、製造コストを低減できる効果がある。
【００７４】
［実施の形態の効果］
本ペーパーフラワーによれば、第１の芯部１３ｂが、切り込み線１３ａに沿って切り込みを入れてループを複数形成し、切り込みの方向に直交する方向に棒１６が巻かれ、第２の芯部１３ｃが、切り込みを入れてループを複数形成し、第１の芯部１３ｂの周囲に巻き付けられ、複数のがく１７が、第２の芯部１３ｃを中心としてサイズが小さい花弁１１、サイズが大きい花弁１２の順に配置されて取り付けられた花の根元に、貼り付けられる大型のペーパーフラワーとしているので、大型の形状であっても、ボリューム感があって迫力があり、きれいで容易に製作できる効果がある。
尚、第１〜５のペーパーフラワーは、３０ｃｍ以上の大型のものを想定したが、３０ｃｍ以下のペーパーフラワーに用いても構わない。
【産業上の利用可能性】
【００７５】
本発明は、大型の形状であって、ボリューム感があって迫力があり、製作が容易で仕上がりが美しい大型ペーパーフラワー及びその製造方法、ペーパーフラワーキットに好適である。
【符号の説明】
【００７６】
１１…花弁、  １２…花弁、  １３…芯素材、  １３ａ…切り込み線、  １３ｂ，１３ｃ…芯部、  １４…ワイヤー、  １５…フローラルテープ、  １６…棒、  １７…がく、  ２１，２２，２３，２４…花弁、  ２１ａ，２２ａ…切り込み、  ２５…芯部、  ２６…紙皿、  ２７…がく、  ２８…円形のがく、  ３１，３２，３３…花びら、  ３４…葉、  ３５…がく、  ３６…卵型発泡スチロール、  ３７…スティック、  ３８…フローラルテープ、  ３９…お椀型の紙皿、  ４１…花弁、  ４１ａ…小花、  ４２…ワイヤー、  ４３…芯部、  ４４…ワイヤー、  ４５…円状の紙、  ４６…紙皿、  ５１…花弁、  ５２…ワイヤー、  ５３…くき、  ５４…ハリパネ、  ５５…目元、  ５６…口、  ５７…リボン、  ６１…円柱型発泡スチロール、  ６２…厚紙、６３…グルーガン、６３ａ…接着剤、６４…接着テープ、  ６５…芯棒
【図１】
2019119982.tif 000003
【図２】
2019119982.tif 000004
【図３】
2019119982.tif 000005
【図４】
2019119982.tif 000006
【図５】
2019119982.tif 000007
【図６】
2019119982.tif 000008
【図７】
2019119982.tif 000009
【図８】
2019119982.tif 000010
【図９】
2019119982.tif 000011
【図１０】
2019119982.tif 000012
【図１１】
2019119982.tif 000013
【図１２】
2019119982.tif 000014
【図１３】
2019119982.tif 000015
【図１４】
2019119982.tif 000016
【図１５】
2019119982.tif 000017
【図１６】
2019119982.tif 000018
【図１７】
2019119982.tif 000019
【図１８】
2019119982.tif 000020
【図１９】
2019119982.tif 000021
【図２０】
2019119982.tif 000022
【図２１】
2019119982.tif 000023
【図２２】
2019119982.tif 000024
【図２３】
2019119982.tif 000025
【図２４】
2019119982.tif 000026
【図２５】
2019119982.tif 000027
【図２６】
2019119982.tif 000028
【図２７】
2019119982.tif 000029
【図２８】
2019119982.tif 000030
【図２９】
2019119982.tif 000031
【図３０】
2019119982.tif 000032
【図３１】
2019119982.tif 000033
【図３２】
2019119982.tif 000034
【図３３】
2019119982.tif 000035
【図３４】
2019119982.tif 000036
【図３５】
2019119982.tif 000037
【図３６】
2019119982.tif 000038